(57)【要約】    【課題】  脱着機構を備え、耐震対策も施された墓石を提供することである。    【解決手段】  一構成部分の上面に設けられた深さＤ1 の第１凹部と、第１凹部の略中央に下方に延びるように設けられた第１穴と、第１凹部の内部に固定された厚さＨ1 の第１永久磁石と、一構成部分の直ぐ上に位置する別の構成部分の下面に設けられた深さＤ2 の第２凹部と、第２凹部の略中央に上方に延びるように設けられた第２穴と、第２凹部の内部に固定された厚さＨ2 の第２永久磁石と、第１及び第２永久磁石の中央部を貫通し、第１及び第２穴にそれぞれ挿入されたシャフトとを有し、第１及び第２永久磁石には、Ｎ極とＳ極が交互にそれぞれ設けられており、第１及び第２永久磁石の対向する部分が互いに同極になるように、別の構成部分をシャフトを中心として回転させることにより、別の構成部分を取り外し可能とするように構成されている。【選択図】  図１
2005350973.tif 000002
【特許請求の範囲】
【請求項１】
脱着機構付き墓石であって、
墓石の一構成部分の上面の略中央に設けられた円形横断面の深さＤ1 の第１凹部と、
前記第１凹部の略中央に下方に延びるように設けられた第１穴と、
前記第１凹部の内部に固定された厚さＨ1 のリング状の第１永久磁石と、
前記一構成部分の直ぐ上に位置する別の構成部分の下面に設けられた円形横断面の深さＤ2 の第２凹部と、
前記第２凹部の略中央に上方に延びるように設けられた第２穴と、
前記第２凹部の内部に固定された厚さＨ2 のリング状の第２永久磁石と、
前記第１及び第２永久磁石の中央部を貫通し、第１及び第２穴にそれぞれ挿入されたシャフトとを有し、
前記厚さＨ1 が前記深さＤ1 よりも僅かに大きくなるように選定され、かつ、前記厚さＨ2 が前記深さＤ2 よりも僅かに大きくなるように選定されており、
前記第１及び第２永久磁石には、Ｎ極とＳ極が交互にそれぞれ設けられており、
前記第１穴に挿入された前記シャフトの部分、又は前記第２穴に挿入された前記シャフトの部分のいずれかが、穴の中で固定されており、
前記第１及び第２永久磁石の対向する部分が互いに同極になるように、前記別の構成部分を前記シャフトを中心として回転させることにより、前記別の構成部分を取り外し可能とするように構成されていることを特徴とする墓石。
【請求項２】
脱着機構付き墓石であって、
墓石の一構成部分の表面に設けられた深さＤ3 の凹部と、
前記凹部の底部に固定された厚さＨ3 の第１永久磁石と、
前記凹部よりも僅かに小さく、表面に所望の彫刻が形成された彫刻体と、
前記彫刻体の裏面に固定された第２永久磁石とを有し、
前記厚さＨ3 が前記深さＤ3 よりも小さくなるように選定されており、
前記第１及び第２永久磁石には、Ｎ極とＳ極が交互にそれぞれ設けられており、
前記第１及び第２永久磁石の対向する部分が互いに同極になるように、前記彫刻体を回転させることにより、前記彫刻体を取り外し可能とするように構成されていることを特徴とする墓石。
【請求項３】
墓石の前面に配置される香炉であって、
前壁に設けられた両開き式の外扉と、
後壁に設けられた両開き式の内扉と、
香炉の後壁内面の両脇に取り付けられた第１永久磁石と、
表面に所望の彫刻が施された彫刻体と、
前記彫刻体の後面に固定された第２永久磁石とを有し、
前記第１及び第２永久磁石には、Ｎ極とＳ極が交互にそれぞれ設けられており、
前記第１及び第２永久磁石の対向する部分が互いに同極になるように、前記彫刻体を回転させることにより、前記彫刻体を取り外して、前記内扉を開放することができるように構成されていることを特徴とする香炉。
【請求項４】
回転機構付き墓石であって、
墓石の一構成部分の上面の略中央に設けられた円形横断面の深さＤ4 の第１凹部と、
前記第１凹部の略中央に下方に延びるように設けられた第１穴と、
前記第１凹部の内部に固定された厚さＨ4 のリング状の第１永久磁石と、
前記一構成部分の直ぐ上に位置する別の構成部分の下面に設けられた円形横断面の深さＤ5 の第２凹部と、
前記第２凹部の略中央に上方に延びるように設けられた第２穴と、
前記第２凹部の内部に固定され、前記第１永久磁石と同じ極性を有する、厚さＨ5 のリング状の第２永久磁石と、
前記両方の永久磁石の中央部を貫通し、前記２つの穴にそれぞれ挿入されたシャフトとを有し、
前記厚さＨ4 が前記深さＤ4 よりも僅かに大きくなるように選定され、かつ、前記厚さＨ5 が前記深さＤ5 よりも僅かに大きくなるように選定されており、
前記第１穴に挿入された前記シャフトの部分、又は前記第２穴に挿入された前記シャフトの部分のいずれかが、穴の中で固定されており、
前記一構成部分を前記シャフトを中心として回転させることにより、前記一構成部分を前記別の構成部分に対して回転可能とするように構成されていることを特徴とする墓石。
【発明の詳細な説明】
【技術分野】
【０００１】
本発明は、脱着機構／回転機構付きの墓石及び香炉に関する。
【背景技術】
【０００２】
墓石は、複数の部分（典型的には、上から順に、竿石（又は、棹石）、蓮華台、上台、中台、及び下台）によって形成されている。墓石のこれらの部分は、凹凸等を設けることにより、ズレ防止の対策を施しているものも見受けられるが、大半は、下の部分に上の部分を載せているにすぎない。また、香を焚いたり、蝋燭を立てたりすることができるように、中台の前面に香炉を置くこともある。香炉の中には、前壁と後壁にそれぞれ扉を配置した二重扉構造としている型式のものがある。
【発明の開示】
【発明が解決しようとする課題】
【０００３】
上述のように、墓石は複数の部分によって形成されているが、墓石に刻んだ銘を変える等の理由のため、墓石の一部分を取り換える必要が生ずる場合があるが、墓石の一部分を取り換えるのは容易ではない。また、上述の二重扉構造の香炉では、後壁の扉を開けると納骨室に通じるようになっているため、扉を開けさえすれば、誰でも容易に納骨室に到達することができるという不都合が生ずる。また、従来の墓石では、下の部分に上の部分を載せ、ズレ防止用としてせいぜい凹凸を設けているにすぎないため、地震時に倒壊する等の被害が発生するという弊害があった。さらに、墓石（灯籠や墓誌を含む）に刻まれている銘等を所望の方向に回転させることができる機構が望まれている。
【０００４】
本発明は、このような状況に鑑みて案出されたものであって、脱着機構／回転機構を備え、耐震対策も施された墓石及び脱着機構を備えた香炉を提供することを目的とする。
【課題を解決するための手段】
【０００５】
本願請求項１に記載の脱着機構付き墓石は、墓石の一構成部分の上面の略中央に設けられた円形横断面の深さＤ1 の第１凹部と、前記第１凹部の略中央に下方に延びるように設けられた第１穴と、前記第１凹部の内部に固定された厚さＨ1 のリング状の第１永久磁石と、前記一構成部分の直ぐ上に位置する別の構成部分の下面に設けられた円形横断面の深さＤ2 の第２凹部と、前記第２凹部の略中央に上方に延びるように設けられた第２穴と、前記第２凹部の内部に固定された厚さＨ2 のリング状の第２永久磁石と、前記第１及び第２永久磁石の中央部を貫通し、第１及び第２穴にそれぞれ挿入されたシャフトとを有し、前記厚さＨ1 が前記深さＤ1 よりも僅かに大きくなるように選定され、かつ、前記厚さＨ2 が前記深さＤ2 よりも僅かに大きくなるように選定されており、前記第１及び第２永久磁石には、Ｎ極とＳ極が交互にそれぞれ設けられており、前記第１穴に挿入された前記シャフトの部分、又は前記第２穴に挿入された前記シャフトの部分のいずれかが、穴の中で固定されており、前記第１及び第２永久磁石の対向する部分が互いに同極になるように、前記別の構成部分を前記シャフトを中心として回転させることにより、前記別の構成部分を取り外し可能とするように構成されていることを特徴とするものである。
【０００６】
本願請求項２に記載の脱着機構付き墓石は、墓石の一構成部分の表面に設けられた深さＤ3 の凹部と、前記凹部の底部に固定された厚さＨ3 の第１永久磁石と、前記凹部よりも僅かに小さく、表面に所望の彫刻が形成された彫刻体と、前記彫刻体の裏面に固定された第２永久磁石とを有し、前記厚さＨ3 が前記深さＤ3 よりも小さくなるように選定されており、前記第１及び第２永久磁石には、Ｎ極とＳ極が交互にそれぞれ設けられており、前記第１及び第２永久磁石の対向する部分が互いに同極になるように、前記彫刻体を回転させることにより、前記彫刻体を取り外し可能とするように構成されていることを特徴とするものである。
【０００７】
本願請求項３に記載の墓石の前面に配置される香炉は、前壁に設けられた両開き式の外扉と、後壁に設けられた両開き式の内扉と、香炉の後壁内面の両脇に取り付けられた第１永久磁石と、表面に所望の彫刻が施された彫刻体と、前記彫刻体の後面に固定された第２永久磁石とを有し、前記第１及び第２永久磁石には、Ｎ極とＳ極が交互にそれぞれ設けられており、前記第１及び第２永久磁石の対向する部分が互いに同極になるように、前記彫刻体を回転させることにより、前記彫刻体を取り外して、前記内扉を開放することができるように構成されていることを特徴とするものである。
【０００８】
本願請求項４に記載の回転機構付き墓石は、墓石の一構成部分の上面の略中央に設けられた円形横断面の深さＤ4 の第１凹部と、前記第１凹部の略中央に下方に延びるように設けられた第１穴と、前記第１凹部の内部に固定された厚さＨ4 のリング状の第１永久磁石と、前記一構成部分の直ぐ上に位置する別の構成部分の下面に設けられた円形横断面の深さＤ5 の第２凹部と、前記第２凹部の略中央に上方に延びるように設けられた第２穴と、前記第２凹部の内部に固定され、前記第１永久磁石と同じ極性を有する、厚さＨ5 のリング状の第２永久磁石と、前記両方の永久磁石の中央部を貫通し、前記２つの穴にそれぞれ挿入されたシャフトとを有し、前記厚さＨ4 が前記深さＤ4 よりも僅かに大きくなるように選定され、かつ、前記厚さＨ5 が前記深さＤ5 よりも僅かに大きくなるように選定されており、前記第１穴に挿入された前記シャフトの部分、又は前記第２穴に挿入された前記シャフトの部分のいずれかが、穴の中で固定されており、前記一構成部分を前記シャフトを中心として回転させることにより、前記一構成部分を前記別の構成部分に対して回転可能とするように構成されていることを特徴とするものである。
【発明の効果】
【０００９】
請求項１に記載の墓石によれば、構成部分を比較的容易に取り換えることができるとともに、地震時に各構成部分の水平移動を防止することができる。また、請求項２に記載の墓石によれば、所有者の希望により、墓石に所望の図柄を容易に施すことができる。また、請求項３に記載の香炉によれば、部外者が墓石の納骨室に容易に到達するのを防止することができる。請求項４に記載の墓石によれば、構成部分を容易に回転させることができるので、一旦設置された墓石であっても、所望の向きに変えることができる。
【発明を実施するための最良の形態】
【００１０】
次に、図面を参照して、本発明の好ましい実施の形態に係る墓石について詳細に説明する。図１は、本発明の好ましい実施の形態に係る墓石を概略的に示した正面図である。本発明の好ましい実施の形態に係る墓石は、竿石１０と、蓮華台１２と、上台１４と、中台１６と、下台１８（これらを、墓石の「構成部分」という）とを備えている。
【００１１】
図１に示される例では、竿石１０と蓮華台１２との間、蓮華台１２と上台１４との間、及び上台１４と中台１６との間に、第１の脱着機構２０が設けられている。以下において、上台１４と中台１６との間に設けられている第１の脱着機構２０を例として説明する。
【００１２】
第１の脱着機構２０は、図２（ａ）に示されるように、中台１６の上面の略中央に設けられた円形横断面の凹部１６ａ（深さＤ1 ）と、凹部１６ａの略中央に下方に延びるように設けられた穴１６ｂと、凹部１６ａの内部に固定されたリング状の永久磁石２２（厚さＨ1 ＞Ｄ1 ）と、上台１４の下面の略中央に設けられた円形横断面の凹部１４ａ（深さＤ2 ）と、凹部１４ａの略中央に上方に延びるように設けられた穴１４ｂと、凹部１４ａの内部に固定されたリング状の永久磁石２４（厚さＨ2 ＞Ｄ2 ）と、永久磁石２２、２４の中央部を貫通し、穴１４ｂ及び穴１６ｂに挿入されたシャフト２５とを有している。永久磁石２２、２４の厚さＨ1 、Ｈ2 が凹部の深さＤ1 、Ｄ2 よりもそれぞれ厚いので、図２（ａ）に示されるように、中台１６の上面と上台１４の下面との間には、僅かな隙間が発生することになる。なお、穴１４ｂに挿入されたシャフト２５の部分、或いは、穴１６ｂに挿入されたシャフト２５の部分のいずれかが、穴の中で接着剤等を用いて固定されている。
【００１３】
永久磁石２２には、Ｎ極とＳ極が交互に設けられている（図２（ｃ）に示される例では、１／４部分ずつＮ極とＳ極が交互に設けられており、図２（ｄ）に示される例では、１／２部分ずつＮ極とＳ極が設けられている。）。また、永久磁石２４も、永久磁石２２と同様にＮ極とＳ極が交互に設けられている。なお、永久磁石２２の凹部１４ａ内への固定、及び永久磁石２４の凹部１６ａ内への固定は、接着剤などの任意の手段によって行われる。
【００１４】
以上のように構成された第１の脱着機構２０の作動について説明する。上下に位置する永久磁石２２、２４の対向する部分が異極である場合には、上台１４と中台１６は、強固に連結されており、地震時においても水平方向に移動するおそれはない。上台１４を中台１６の上から取り外そうとするときには、上台１４をシャフト２５を中心として回転させ、上下に位置する永久磁石２２、２４の対向する部分が同極となるようにする。すると、永久磁石２２、２４同士が反発し合うので、上台１４を容易に取り外すことができる。なお、上台１４と下台１６との間の隙間は、通常、シーリング材で密閉されており、上台１４を取り外そうとする際に、シーリング材が取り除かれる。
【００１５】
図３は、彫刻体を脱着可能に取り付けるのに用いられる第２の脱着機構２６を示している。第２の脱着機構２６は、竿石１０の表面に設けられた凹部１０ａ（深さＤ3 ）と、凹部１０ａの底部に固定された永久磁石２８（厚さＨ3 ＜Ｄ3 ）と、凹部１０ａ内に着脱可能に配置される彫刻体３０と、彫刻体３０の裏面に固定された永久磁石３２とを有している。彫刻体３０は、凹部１０ａよりも僅かに小さくなるように形成されている。彫刻体３０の表面には、仏像、家紋、梵字、人物像、花などの所望の図柄が彫刻されている。彫刻体３０は、石で形成してもよく、クリスタルで形成してもよい。
【００１６】
永久磁石２８、３２には、永久磁石２２、２４と同様に、Ｎ極とＳ極が交互に設けられている。永久磁石２８の凹部１０ａの底部への固定、並びに、永久磁石３２の彫刻体３０の裏面への固定は、接着剤などの任意の手段によって行われる。
【００１７】
以上のように構成された第２の脱着機構２６の作動について説明する。彫刻体３０を竿石１０に取り付けようとするときには、彫刻体３０を凹部１０ａ内に挿入し、永久磁石２２、２４の対向する部分が異極になるようにする。彫刻体３０を竿石１０から取り外そうとするときには、彫刻体３０を回転させて、永久磁石２２、２４の対向する部分が同極にするようにする。
【００１８】
図４は、香炉に設けられる第３の脱着機構３２を示している。図４に示される香炉は、前壁に設けられた両開き式の外扉３４と、後壁に設けられた両開き式の内扉３６とを有しており、通常は、外扉３４と内扉３６を閉鎖しておき、使用に際して、外扉３４のみを開放し、香炉の内部で香を焚いたり、蝋燭を立てたりするようになっている。また、納骨の際には、内扉３６を開放し、香炉の背面から墓石の納骨室（図示せず）内に遺骨を安置するようになっている。
【００１９】
第３の脱着機構３２は、香炉の後壁内面の両脇に取り付けられた永久磁石３８と、円柱状の彫刻体４０と、彫刻体４０の後面（香炉の後壁側の面）に固定された永久磁石４２とを有している。彫刻体４０の前面には、仏像、家紋、梵字、人物像、花などの所望の図柄が彫刻されている。彫刻体４０は、石で形成してもよく、クリスタルで形成してもよい。
【００２０】
永久磁石３８、４２には、永久磁石２２、２４、２８、３２と同様に、Ｎ極とＳ極が交互に設けられている。永久磁石３８の後壁内面への固定、並びに、永久磁石４２の彫刻体４０の後面への固定は、接着剤などの任意の手段によって行われる。なお、内扉３６を開放するときに永久磁石３８が邪魔にならないように、後壁内面に設けた窪みに永久磁石３８を埋め込んで固定するようにするのがよい（図６参照）。
【００２１】
以上のように構成された第３の着脱機構３２の作動について説明する。通常は、彫刻体４０を香炉内の両脇の所定個所に配置しておく（図６参照）。この状態では、彫刻体４０があるため、内扉３６を開放することはできない。内扉３６を開放しようとするときは、彫刻体４０を回転させて、永久磁石３８、４２の対向する部分が同極になるようにする。すると、彫刻体４０を取り外すことができるので、内扉３６を開放することができる（図７参照）。
【００２２】
図８は、回転機構４４を示している。回転機構４４付きの墓石は、永久磁石にＮ極とＳ極が交互に設けられておらず、かつ、上下に位置する永久磁石が同極のものである点を除いて、第１の脱着機構２０付きの墓石と実質的に同一の構成を有している。
【００２３】
すなわち、回転機構４４は、図８（ｂ）に示されるように、下部分４６の上面の略中央に設けられた円形横断面の凹部４６ａ（深さＤ4 ）と、凹部４６ａの略中央に下方に延びるように設けられた穴４６ｂと、凹部４６ａの内部に固定されたリング状の永久磁石４８（厚さＨ4 ＞Ｄ4 ）と、上部分５０の下面の略中央に設けられた円形横断面の凹部５０ａ（深さＤ5 ）と、凹部５０ａの略中央に上方に延びるように設けられた穴５０ｂと、凹部５０ａの内部に固定されたリング状の永久磁石５２（厚さＨ5 ＞Ｄ5 ）と、永久磁石４８、５２の中央部を貫通し、穴４６ｂ及び穴５０ｂに挿入されたシャフト５４とを有している。永久磁石４８、５２の厚さＨ4 、Ｈ5 が凹部の深さＤ4 、Ｄ5 よりもそれぞれ厚いので、図８（ａ）に示されるように、下部分４６の上面と上部分５０の下面との間には、僅かな隙間が発生することになる。なお、穴４６ｂに挿入されたシャフト５４の部分、或いは、穴５０ｂに挿入されたシャフト５４の部分のいずれかが、穴の中で接着剤等を用いて固定されている。
【００２４】
回転機構４４においては、対向する永久磁石４８、５２が同極のものであり常に反発しているので、上部分５０をシャフト５４を中心として自由に回転させることができる。これにより、上部分５０を所望の向きに回転させる（例えば、銘等が刻まれている部分を手前向きにする）ことができる。回転機構４４が装着されるのは、通常の墓石の他、灯籠や墓誌等、墓石の付属物も含まれる。
【００２５】
本発明は、以上の発明の実施の形態に限定されることなく、特許請求の範囲に記載された発明の範囲内で、種々の変更が可能であり、それらも本発明の範囲内に包含されるものであることはいうまでもない。
【００２６】
例えば、前記実施の形態において、彫刻体３０、４０が円柱状のものとして示されているが、任意の他の形状に形成してもよい。また、第２の脱着機構２６が竿石１０の表面に設けられているが、墓石の他の構成部分に設けてもよい。
【図面の簡単な説明】
【００２７】
【図１】本発明の好ましい実施の形態に係る脱着機構を備えた墓石及び香炉を概略的に示した正面図である。
【図２】第１の脱着機構を示した図であって、図２（ａ）は、上台と中台との間に設けられた第１の脱着機構の断面図、図２（ｂ）は、図２（ａ）の正面図、図２（ｃ）及び図２（ｄ）は、第１の脱着機構に用いられる永久磁石の一例を示した平面図である。
【図３】第２の脱着機構を示した図であって、図３（ａ）は、彫刻体が取り付けられている状態を示した竿石の斜視図、図３（ｂ）は、図３（ａ）の分解斜視図、図３（ｃ）及び図３（ｄ）は、第２の脱着機構を示した拡大部分断面図である。
【図４】第３の脱着機構を示した図である。
【図５】図４の線５−５に沿って見た断面図である。
【図６】第３の脱着機構を備えた香炉において、内扉が閉鎖している状態を示した図である。
【図７】第３の脱着機構を備えた香炉において、内扉が開放している状態を示した図である。
【図８】回転機構を示した図であって、図８（ａ）は、回転機構を備えた墓石の正面図、図８（ｂ）は、回転機構の断面図、図８（ｃ）は、回転機構に用いられる永久磁石を示した平面図である。
【符号の説明】
【００２８】
１０  竿石
１０ａ  凹部
１２  蓮華台
１４  上台
１４ａ  凹部
１６  中台
１６ａ  凹部
１８  下台
２０  第１の脱着機構
２２、２４  永久磁石
２６  第２の脱着機構
２８、３２  永久磁石
３０  彫刻体
３２  第３の脱着機構
３４  香炉の外扉
３６  香炉の内扉
３８、４２  永久磁石
４０  彫刻体
４４  回転機構
４８、５２  永久磁石
５４  シャフト
【図１】
2005350973.tif 000003
【図２】
2005350973.tif 000004
【図３】
2005350973.tif 000005
【図４】
2005350973.tif 000006
【図５】
2005350973.tif 000007
【図６】
2005350973.tif 000008
【図７】
2005350973.tif 000009
【図８】
2005350973.tif 000010